(57)【要約】【課題】簡易で安価な回路構成で、Ａ／Ｄ変換回路を用いた光源の点灯状態の検出精度が向上した照明制御回路、及びそれを用いた照明点灯装置または照明器具を提供する。【解決手段】調光信号Ｄｓに応じたランプ電力Ｗｌａを出力する照明点灯装置２によって点灯するランプ１のランプ電力Ｗｌａを検出して、アナログ検出電圧Ｖｄ１を出力する検出回路５と、調光信号Ｄｓに示される調光度に基づいて可変するアナログ基準電圧Ｖｂ１を出力する基準電圧出力部９と、アナログ検出電圧Ｖｄ１とアナログ基準電圧Ｖｂ１との差分であるアナログ差電圧ΔＶ１を出力する差動増幅回路６と、アナログ差電圧ΔＶ１をデジタル差電圧ΔＶ２に変換するＡ／Ｄ変換回路７と、Ａ／Ｄ変換回路７から出力されるデジタル差電圧ΔＶ２を調光信号Ｄｓに示される調光度に基づいて補正し、デジタル検出電圧Ｖｄ２を出力する演算回路８とを備える。【選択図】図１
2010277730.tif 000002
【特許請求の範囲】
【請求項１】
調光信号に応じた電力を出力する照明点灯装置によって点灯する光源の点灯状態を検出して、アナログの検出値を出力する検出手段と、調光信号に示される調光度に基づいて可変するアナログの基準値を出力する基準値出力手段と、検出値と基準値との差分を増幅する増幅手段と、増幅手段の出力信号をデジタル信号に変換するＡ／Ｄ変換手段と、Ａ／Ｄ変換手段から出力されるデジタル信号を調光信号に示される調光度に基づいて補正した補正検出結果を出力する演算手段とを備えることを特徴とする照明制御回路。
【請求項２】
前記演算手段は、前記照明点灯装置または、１つ以上の照明点灯装置の動作を制御するコントローラに接続される通信線に、前記補正検出結果を出力することを特徴とする請求項１記載の照明制御回路。
【請求項３】
前記照明点灯装置は、交番電力を前記光源に供給するインバータと、当該インバータの動作を制御するインバータ駆動手段とを具備し、前記演算手段は、インバータ駆動手段に前記補正検出結果を出力することを特徴とする請求項１記載の照明制御回路。
【請求項４】
前記照明点灯装置は、交番電力を前記光源に供給するインバータを具備し、前記検出手段と、前記基準値出力手段と、前記増幅手段と、前記Ａ／Ｄ変換手段と、前記演算手段とは、当該インバータに配置されることを特徴とする請求項１乃至３記載のいずれか１項記載の照明制御回路。
【請求項５】
前記インバータの動作を制御するインバータ駆動手段は、集積回路で構成されており、前記増幅手段は、当該集積回路に形成されることを特徴とする請求項４記載の照明制御回路。
【請求項６】
前記検出手段は、前記照明点灯装置の入力電力に略比例した検出値を出力することを特徴とする請求項１乃至５記載のいずれか１項に記載の照明制御回路。
【請求項７】
前記検出手段は、前記照明点灯装置の入力電流に略比例した検出値を出力することを特徴とする請求項１乃至５記載のいずれか１項に記載の照明制御回路。
【請求項８】
前記検出手段は、前記照明点灯装置から前記光源に供給される電力に略比例した検出値を出力することを特徴とする請求項１乃至５記載のいずれか１項に記載の照明制御回路。
【請求項９】
前記検出手段は、前記光源による照度を測定する照度センサの出力に略比例した検出値を出力することを特徴とする請求項１乃至５記載のいずれか１項に記載の照明制御回路。
【請求項１０】
前記調光信号は、１つ以上の前記照明点灯装置の動作を制御するコントローラに接続される通信線を介して、コントローラから伝達されることを特徴とする請求項１乃至９記載のいずれか１項に記載の照明制御回路。
【請求項１１】
請求項１乃至１０のいずれか１項に記載の照明制御回路と、当該照明制御回路から出力される前記補正検出結果に基づいた電力を光源に出力する照明点灯回路とを備えることを特徴とする照明点灯装置。
【請求項１２】
請求項１１に記載の照明点灯装置と、当該照明点灯装置が配置される照明器具本体と、照明点灯装置から電力を供給される光源とを備えることを特徴とする照明器具。
【発明の詳細な説明】
【技術分野】
【０００１】
本発明は、照明制御回路、及びそれを用いた照明点灯装置、照明器具に関するものである。
【背景技術】
【０００２】
従来、ランプを点灯させる照明点灯装置において、調光器から入力される調光信号に応じてランプに供給する電力を制御することによって、ランプの明るさを変えることができる調光機能を有するものが提供されている。
【０００３】
そして、調光機能を有する照明点灯装置が、調光信号に応じた電力を出力するために、ランプの点灯状態を検出して、所定の電力が出力されるようにフィードバック制御を行う照明制御回路が知られている。
【０００４】
図１０に、従来例１の照明制御回路および照明点灯装置の構成を示す。
【０００５】
本従来例は、ランプ１と、ランプ１に電力を供給する照明点灯装置２と、照明点灯装置２に調光信号Ｄｓを出力する調光器４と、ランプ電力Ｗｌａを検出する照明制御回路３ａとから構成されている。また、照明制御回路３ａは、検出回路５とＡ／Ｄ変換回路７とで構成されている。
【０００６】
照明点灯装置２が調光信号Ｄｓに応じたランプ電力Ｗｌａを出力するように、ランプ電力Ｗｌａの検出結果を用いたフィードバック制御を行う。
【０００７】
具体的なフィードバック制御の方法を以下に示す。検出回路５がランプ電力Ｗｌａに略比例したアナログ値の検出電圧Ｖｄ１（アナログ検出電圧Ｖｄ１）を、Ａ／Ｄ変換回路７に出力する。そして、Ａ／Ｄ変換回路７では、入力したアナログ検出電圧Ｖｄ１をデジタル値の検出電圧Ｖｄ２（デジタル検出電圧Ｖｄ２）に変換して、照明点灯装置２に出力する。
【０００８】
照明点灯装置２では、調光信号Ｄｓに示される調光度の大きさに比例したデジタル値の目標電圧Ｖｔ（デジタル目標電圧Ｖｔ）が生成される。そして、マイコンなどでデジタル目標電圧Ｖｔとデジタル検出電圧Ｖｄ２とを比較して、両者に差がある場合は、照明点灯装置２からランプ１に出力するランプ電力Ｗｌａを変動させることによって、デジタル目標電圧Ｖｔにデジタル検出電圧Ｖｄ２を一致させるフィードバック制御を行う。
【０００９】
ここで、図１１（ａ）に、ランプ１の調光比に対する理想的なランプ電力Ｗｌａに略比例したアナログ検出電圧Ｖｄ１の特性をＹ１１に示す。Ｙ１１は、ランプ１の調光比を調光下限Ｄｍｉｎから定格点灯Ｄｍａｘまで変化させたときの検出電圧Ｖｄ１であり、ランプ１の調光比が定格点灯Ｄｍａｘのときの検出電圧をＶｄｍａｘ（１００％）、ランプの調光比が調光下限Ｄｍｉｎのときの検出電圧をＶｄｍｉｎとする。
【００１０】
また、図１１（ｂ）は、Ａ／Ｄ変換回路７によるアナログ検出電圧Ｖｄ１のＡ／Ｄ変換特性を示している。本従来例のＡ／Ｄ変換回路７の出力は、ヘキサコードで００〜ＦＦを示す領域が出力に割り当てられている。つまり、アナログ検出電圧Ｖｄ１を８ビットで分解して出力するものである。
【００１１】
また、本従来例のＡ／Ｄ変換回路７は、図１１（ａ）のＹ１１で示した検出電圧Ｖｄｍｉｎ〜Ｖｄｍａｘの範囲が、Ａ／Ｄ変換回路７のヘキサコード１０〜ＦＦに対応するように設定されている。
【００１２】
例えばランプ電力Ｗｌａの下限が１０Ｗ、上限が４０Ｗまで変化する場合、このときのＡ／Ｄ変換回路７の１ビットあたりの検出分解能を以下のように導出する。ヘキサコード１０〜ＦＦを１０進数で示すと１６〜２５５となるので、Ａ／Ｄ変換回路７の１ビットあたりの検出分解能は、下記式（１）となる。
【００１３】
（４０−１０）（Ｗ）／（２５５−１６）（Ｂｉｔ）＝０．１２６（Ｗ／Ｂｉｔ）
・・・（１）
すなわち、Ａ／Ｄ変換回路７はアナログ検出電圧Ｖｄ１を０．１２６Ｗ相当の電圧毎にデジタル値に変換することができ、この値をフィードバック制御に用いることでランプ電力Ｗｌａを０．１２６Ｗ刻みで調整することができる。
【００１４】
しかし、本従来例の照明制御回路３ａでは、Ａ／Ｄ変換回路７の１ビットあたりの検出分解能が低く、ランプ電力Ｗｌａをさらに細かく調節することが困難であった。
【００１５】
そこで、レベルシフト回路１０１とタイマ回路１０２を用いることで、Ａ／Ｄ変換回路１０３の１ビットあたりの検出分解能を向上させた例を従来例２として示す（例えば特許文献１）。
【００１６】
本従来例の概略構成を図１２に示す。本従来例は、時間を計数するタイマ回路１０２と、タイマ回路１０２の計数する一定時間毎に入力電源電圧Ｖｉｎのレベルをシフトさせるレベルシフト回路１０１と、レベルシフト回路１０１の出力信号をデジタル信号に変換するＡ／Ｄ変換回路１０３と、Ａ／Ｄ変換回路１０３の出力信号により点灯主回路１０５を制御する信号を出力する制御回路１０４とから構成されている。
【００１７】
上記の構成で、レベルシフト回路１０１によって、Ａ／Ｄ変換回路１０３に入力する電圧値の最大値と最小値の差が小さくなった値をＡ／Ｄ変換するので、１ビットあたりの電圧値も小さくなるため、Ａ／Ｄ変換回路１０３の検出分解能が向上する。
【先行技術文献】
【特許文献】
【００１８】
【特許文献１】特開平１１−２３８５８４号公報
【発明の概要】
【発明が解決しようとする課題】
【００１９】
従来例１として図１０に示した照明制御回路３ａにおいて、アナログ検出電圧Ｖｄ１の変動幅がＡ／Ｄ変換回路７の出力範囲に収まるように設定する必要があるため、調光範囲が広くなり、アナログ検出電圧Ｖｄ１の変動幅が大きくなる場合や、Ａ／Ｄ変換回路７のビット数が少ない場合は、アナログ検出電圧Ｖｄ１をデジタル値に変換するときの１ビットあたりの検出分解能が低下するという課題がある。
【００２０】
Ａ／Ｄ変換回路７の１ビットあたりの検出分解能が低下すると、調光を連続的に行うことができず、特に調光下限付近において、光出力の変化を段階的に感じやすくなる。
【００２１】
また、図１２に示した従来例２では、Ａ／Ｄ変換回路１０４の１ビットあたりの検出分解能は向上しているが、タイマ回路１０２とレベルシフト回路１０１とが必要となる。そのため、回路が複雑となり、部品数が増えるためコストが上昇する。
【００２２】
また、レベルシフトするには、入力される入力電源電圧Ｖｉｎがデジタル信号である必要があるため、図１０に示した従来例１のように、検出値がアナログ値である場合には、レベルシフト回路１０１の前段に、Ａ／Ｄ変換回路（図示なし）が必要となり、さらに回路が複雑となる。
【００２３】
本発明は、上記事由に鑑みてなされたものであり、その目的は、簡易で安価な回路構成で、Ａ／Ｄ変換回路を用いた光源の点灯状態の検出精度が向上した照明制御回路、及びそれを用いた照明点灯装置または照明器具を提供することにある。
【課題を解決するための手段】
【００２４】
請求項１の発明は、調光信号に応じた電力を出力する照明点灯装置によって点灯する光源の点灯状態を検出して、アナログの検出値を出力する検出手段と、調光信号に示される調光度に基づいて可変するアナログの基準値を出力する基準値出力手段と、検出値と基準値との差分を増幅する増幅手段と、増幅手段の出力信号をデジタル信号に変換するＡ／Ｄ変換手段と、Ａ／Ｄ変換手段から出力されるデジタル信号を調光信号に示される調光度に基づいて補正した補正検出結果を出力する演算手段とを備えることを特徴とする。
【００２５】
この発明によれば、簡易で安価な回路構成で、Ａ／Ｄ変換回路の１ビットあたりの検出分解能を向上させることができ、光源の点灯状態の検出精度が向上する。
【００２６】
請求項２の発明は、請求項１の発明において、前記演算手段は、前記照明点灯装置または、１つ以上の照明点灯装置の動作を制御するコントローラに接続される通信線に、前記補正検出結果を出力することを特徴とする。
【００２７】
この発明によれば、照明点灯装置に入力される光源の点灯状態の検出結果を用いて、光源への出力のフィードバック制御を行うことや、コントローラに光源の点灯状態を通知することができる。
【００２８】
請求項３の発明は、請求項１の発明において、交番電力を前記光源に供給するインバータと、当該インバータの動作を制御するインバータ駆動手段とを具備し、前記演算手段は、インバータ駆動手段に前記補正検出結果を出力することを特徴とする。
【００２９】
この発明によれば、光源の点灯状態の検出結果を、インバータ駆動回路に出力することによって、インバータから光源への出力をフィードバック制御することができる。
【００３０】
請求項４の発明は、請求項１乃至３記載のいずれか１項に記載の発明において、交番電力を前記光源に供給するインバータは、前記照明点灯装置に設けられ、前記検出手段と、前記基準値出力手段と、前記増幅手段と、前記Ａ／Ｄ変換手段と、前記演算手段とは、当該インバータに配置されることを特徴とする。
【００３１】
この発明によれば、照明制御回路をインバータと同一の領域に配置することによって、照明制御回路とインバータとの間の配線が短くなるため、ノイズの影響を受けにくくなる。
【００３２】
請求項５の発明は、請求項４の発明において、前記インバータの動作を制御するインバータ駆動手段は、集積回路で構成されており、前記増幅手段は、当該集積回路に形成されることを特徴とする。
【００３３】
この発明によれば、インバータ駆動回路を構成している集積回路に増幅回路を形成することによって、部品を共通化し、部品数を減らすことができる。
【００３４】
請求項６の発明は、請求項１乃至５記載のいずれか１項に記載の発明において、前記検出手段は、前記照明点灯装置の入力電力に略比例した検出値を出力することを特徴とする。
【００３５】
この発明によれば、照明点灯装置の入力電力の検出精度が向上する。
【００３６】
請求項７の発明は、請求項１乃至５記載のいずれか１項に記載の発明において、前記検出手段は、前記照明点灯装置の入力電流に略比例した検出値を出力することを特徴とする。
【００３７】
この発明によれば、照明点灯装置の入力電流の検出精度が向上する。
【００３８】
請求項８の発明は、請求項１乃至５記載のいずれか１項に記載の発明において、前記検出手段は、前記照明点灯装置から前記光源に供給される電力に略比例した検出値を出力する。
【００３９】
この発明によれば、光源に供給される電力の検出精度が向上する。
【００４０】
請求項９の発明は、請求項１乃至５記載のいずれか１項に記載の発明において、前記検出手段は、前記光源による照度を測定する照度センサの出力に略比例した検出値を出力することを特徴とする。
【００４１】
この発明によれば、照度センサの出力の検出精度が向上する。
【００４２】
請求項１０の発明は、請求項１乃至９記載のいずれか１項に記載の発明において、前記調光信号は、１つ以上の前記照明点灯装置の動作を制御するコントローラに接続される通信線を介して、コントローラから伝達されることを特徴とする。
【００４３】
この発明によれば、調光信号をコントローラから伝達することによって、各照明点灯装置を離れた位置から遠隔制御することができる。
【００４４】
請求項１１の発明は、請求項１乃至１０のいずれか１項に記載の照明制御回路と、当該照明制御回路から出力される前記補正検出結果に基づいた電力を光源に出力する照明点灯回路とを備えることを特徴とする。
【００４５】
この発明によれば、照明点灯装置において、簡易で安価な回路構成で、Ａ／Ｄ変換回路の１ビットあたりの検出分解能を向上させることができ、光源の点灯状態の検出精度が向上する。
【００４６】
請求項１２の発明は、請求項１１に記載の照明点灯装置と、当該照明点灯装置が配置される照明器具本体と、照明点灯装置から電力を供給される光源とを備えることを特徴とする。
【００４７】
この発明によれば、照明器具において、簡易で安価な回路構成で、Ａ／Ｄ変換回路の１ビットあたりの検出分解能を向上させることができ、光源の点灯状態の検出精度が向上する。
【発明の効果】
【００４８】
以上説明したように、本発明では、簡易で安価な回路構成で、Ａ／Ｄ変換回路を用いた光源の点灯状態の検出精度を向上させることができるという効果がある。
【図面の簡単な説明】
【００４９】
【図１】本発明の第１の実施形態を示す回路構成図である。
【図２】（ａ）は調光比に対するオペアンプの入力電圧特性を示すグラフ、（ｂ）はＡ／Ｄ変換回路の入出力特性を示すグラフである。
【図３】ランプ電力が調光比に対して２次曲線で変動する場合のオペアンプの入力電圧特性を示すグラフである。
【図４】本発明の第２の実施形態を示す回路構成図である。
【図５】同上の第３の実施形態を示す回路構成図である。
【図６】同上の第４の実施形態を示す回路構成図である。
【図７】同上の第５の実施形態を示す回路構成図である。
【図８】同上の第６の実施形態の概略構成を示す斜視図である。
【図９】従来例１のブロック構成図である。
【図１０】（ａ）は調光比に対する検出電圧特性を示すグラフ、（ｂ）はＡ／Ｄ変換回路の入出力特性を示すグラフである。
【図１１】従来例２のブロック構成図である。
【発明を実施するための形態】
【００５０】
以下、本発明の実施の形態を図面に基づいて説明する。
【００５１】
（実施形態１）
本発明の第１の実施形態として図１に構成を示す。本実施形態は、ランプ１と、ランプ１にランプ電力Ｗｌａを供給する照明点灯装置２と、ランプ電力Ｗｌａを検出する照明制御回路３と、照明点灯装置２および照明制御回路３に調光信号Ｄｓを出力する調光器４とから構成されている。また、照明制御回路３は、検出回路５と、差動増幅回路６と、Ａ／Ｄ変換回路７と、演算回路８とから構成されている。
【００５２】
本実施形態の照明制御回路３および照明点灯装置２は、図１０に示した従来例１の照明制御回路３ａおよび照明点灯装置２と同様に、照明点灯装置２が調光信号Ｄｓに応じたランプ電力Ｗｌａを出力するように、ランプ電力Ｗｌａの検出結果を用いたフィードバック制御を行う。
【００５３】
本実施形態のフィードバック制御の構成を以下に示す。
【００５４】
検出回路５は、ランプ電力Ｗｌａに略比例したアナログ値の検出電圧Ｖｄ１（アナログ検出電圧Ｖｄ１）を、差動増幅回路６に出力する。
【００５５】
差動増幅回路６は、オペアンプＯＰ１と抵抗Ｒ１とコンデンサＣ１と基準電圧出力部９とで構成されている。検出回路５の出力値である検出電圧Ｖｄ１は、抵抗Ｒ１を介してオペアンプＯＰ１の反転入力端子に出力され、オペアンプＯＰ１の反転入力端子と出力端子との間にコンデンサＣ１が接続されている。また、オペアンプＯＰ１の非反転入力端子には、基準電圧出力部９が接続される。
【００５６】
基準電圧出力部９は、調光信号Ｄｓに示される調光度に比例して変動するアナログ値の基準電圧Ｖｂ１（アナログ基準電圧Ｖｂ１）を、オペアンプＯＰ１の非反転入力端子に出力する。なお、調光信号ＤｓがＰＷＭ信号の場合、基準電圧出力部９の入力段にローパスフィルタを備えることによって、ＰＷＭ信号から直流電圧を得ることができ、その直流電圧の大きさに基づいたアナログ基準電圧Ｖｂ１が得られる。
【００５７】
差動増幅回路６は上記の構成で、いわゆる積分増幅回路を構成し、オペアンプＯＰ１に入力されるアナログ検出電圧Ｖｄ１とアナログ基準電圧Ｖｂ１との差分を、オペアンプＯＰ１の出力端子からアナログ値の差電圧ΔＶ１（アナログ差電圧ΔＶ１）として、Ａ／Ｄ変換回路７に出力する。
【００５８】
Ａ／Ｄ変換回路７では、入力されるアナログ差電圧ΔＶ１をデジタル値で示される差電圧ΔＶ２（デジタル差電圧ΔＶ２）に変換する。なお、アナログ検出電圧Ｖｄ１の極性が正の場合、差動増幅回路６で反転されて、Ａ／Ｄ変換回路７に入力されるアナログ差電圧ΔＶ１は負の極性となるが、Ａ／Ｄ変換回路７はアナログ差電圧ΔＶ１の絶対値をＡ／Ｄ変換することで、Ａ／Ｄ変換後のデジタル差電圧ΔＶ２は正の極性となる。
【００５９】
ここで、図２（ａ）に、ランプ１の調光比に対するオペアンプＯＰ１の入力電圧のグラフを示す。Ｙ１はランプ１の調光比を調光下限Ｄｍｉｎから定格点灯Ｄｍａｘまで変化させたときの理想的なランプ電力Ｗｌａに略比例したアナログ検出電圧Ｖｄ１の特性を示したグラフであり、ランプ１の調光比が定格点灯Ｄｍａｘのときのアナログ検出電圧をＶｄｍａｘ（１００％）、ランプの調光下限Ｄｍｉｎのときのアナログ検出電圧をＶｄｍｉｎとする。
【００６０】
また、調光信号Ｄｓに示される目標値に対して、ランプ電力Ｗｌａに誤差が発生すると、検出電圧Ｖｄ１が理想的な特性を示すＹ１からずれる。本実施形態では、その時に生じる検出電圧Ｖｄ１の最大変動幅を電圧Ｖｘまで許容し、Ｙ１を中心として電圧Ｖｘの幅で変動した場合の検出電圧Ｖｄ１の下限値をＹ２、上限値をＹ３と示す。
【００６１】
そして、Ｙ２にアナログ基準電圧Ｖｂ１が一致するように基準電圧出力部９を設定する。また、ランプ１の調光比が定格点灯Ｄｍａｘのときのアナログ基準電圧をＶｂｍａｘ、ランプ１の調光下限Ｄｍｉｎのときのアナログ基準電圧Ｖｂｍｉｎとする。
【００６２】
したがって、Ｙ１とＹ２とＹ３の大小関係はＹ３＞Ｙ１＞Ｙ２となり、Ｙ３とＹ２との差分は電圧Ｖｘとなる。そして、差動増幅回路６から出力されるアナログ差電圧ΔＶ１は、０〜Ｖｘの範囲で変動することになる。
【００６３】
図２（ｂ）に、Ａ／Ｄ変換回路７の入力電圧と出力値のＡ／Ｄ変換特性を示す。Ａ／Ｄ変換回路７の入力範囲は、アナログ差電圧ΔＶ１の変動幅となる０〜Ｖｘが設定されており、図２（ｂ）の入力電圧において電圧Ｖｘの値を１００％とする。また、Ａ／Ｄ変換回路７の出力は、ヘキサコード００〜ＦＦで示す領域が出力に割り当てられている。つまり、Ａ／Ｄ変換回路７の入力範囲となる０〜Ｖｘの範囲を８ビットに分解し、アナログ値の入力電圧を対応するデジタル値に変換して出力するものである。
【００６４】
ここで、０〜Ｖｘが入力範囲となる本実施形態のＡ／Ｄ変換回路７は、図１０で示した従来例１のＶｄｍｉｎ〜Ｖｄｍａｘが入力範囲となるＡ／Ｄ変換回路よりも、入力電圧の変動幅が狭くなり、その狭くなった変動幅の電圧値を所定のビット数で分解するので、本実施形態のＡ／Ｄ変換回路７の１ビットあたりの検出分解能が向上する。
【００６５】
例えば、従来例１と同様の条件で、ランプ１の調光比が調光下限Ｄｍｉｎのときのランプ電力Ｗｌａが１０Ｗ、定格点灯Ｄｍａｘのときのランプ電力Ｗｌａが４０Ｗの場合のＡ／Ｄ変換回路７の１ビットあたりの検出分解能を以下のように導出する。
【００６６】
Ａ／Ｄ変換回路７の入力範囲の最大値となる電圧Ｖｘを１０Ｗ相当に設定し、基準電圧出力部９において、調光下限Ｄｍｉｎのときの基準電圧Ｖｂｍｉｎは５Ｗに相当し、定格点灯Ｄｍａｘのときの基準電圧Ｖｂｍａｘは３５Ｗに相当する電圧を出力するように、基準電圧出力部９を設定する。
【００６７】
すべての調光比のレベルに対してＡ／Ｄ変換回路７の入力範囲は０〜１０Ｗ相当の電圧となり、０〜１０Ｗ相当の範囲を８ビットで分解するので、１ビットあたりの検出分解能は、下記式（２）となる。
【００６８】
１０（Ｗ）／２５６（Ｂｉｔ）＝０．０３９（Ｗ／Ｂｉｔ）  ・・・（２）
すなわち、Ａ／Ｄ変換回路７はすべての調光比のレベルに対してアナログ差電圧ΔＶ１を０．０３９Ｗ相当の電圧毎にデジタル値に変換することができる。従来例１における照明制御回路のＡ／Ｄ変換回路の１ビットあたりの検出分解能０．１２６Ｗ／Ｂｉｔと比較すると、約３倍近く検出精度が向上したことになる。
【００６９】
また、従来例１の図１１（ａ）に示したＹ１１において、調光比が定格点灯Ｄｍａｘ時の理想的な検出電圧Ｖｄｍａｘを検出電圧Ｖｄ１が超えて変動した場合は、Ａ／Ｄ変換回路の入力範囲を超えてしまい、正確に検出することが出来なかった。しかし、本実施形態では、検出電圧Ｖｄ１の変動し得る範囲をＡ／Ｄ変換回路７の入力範囲としているので、図２（ａ）に示したＹ１において、検出電圧Ｖｄ１がＶｄｍａｘを超えて変動した場合でも検出することができる。
【００７０】
次に演算回路８には、Ａ／Ｄ変換回路７から出力されるデジタル差電圧ΔＶ２と、調光器４から出力される調光信号Ｄｓが入力する。そして、演算回路８は、デジタル差電圧ΔＶ２を調光信号Ｄｓに示される調光度に基づいて補正した補正検出結果を出力する。以下に、演算回路８の動作の詳細を示す。
【００７１】
演算回路８内に設けられたＡ／Ｄ変換部で、調光信号Ｄｓに示される調光度に比例したデジタル値の基準電圧Ｖｂ２（デジタル基準電圧Ｖｂ２）が生成される。なお、デジタル基準電圧Ｖｂ２は、アナログ基準電圧Ｖｂ１と同じ電圧値を示している。また、調光信号ＤｓがＰＷＭ信号の場合、演算回路８の入力段にローパスフィルタを備えることによって、ＰＷＭ信号から直流電圧を得ることができ、その直流電圧の大きさを基に演算回路８内のＡ／Ｄ変換部がデジタル基準電圧Ｖｂ２を生成する。
【００７２】
そして、演算回路８はデジタル差電圧ΔＶ２にデジタル基準電圧Ｖｂ２を加算し、ランプ電力Ｗｌａに略比例したデジタル値の検出電圧Ｖｄ２（デジタル検出電圧Ｖｄ２）が補正検出結果として算出される。そして、演算回路８はデジタル検出電圧Ｖｄ２を照明点灯装置２に出力する。
【００７３】
照明点灯装置２では、調光信号Ｄｓに示される調光度の大きさに比例したデジタル値の目標電圧Ｖｔ（デジタル目標電圧Ｖｔ）が生成される。そして、マイコンなどでデジタル目標電圧Ｖｔとデジタル検出電圧Ｖｄ２とを比較して、両者に差がある場合は、照明点灯装置２からランプ１に出力するランプ電力Ｗｌａを変動させることによって、デジタル目標電圧Ｖｔにデジタル検出電圧Ｖｄ２を一致させるフィードバック制御を行う。
【００７４】
本実施形態では、上記の例においてＡ／Ｄ変換回路７の１ビットあたりの検出分解能が０．０３９Ｗ／Ｂｉｔとなるので、Ａ／Ｄ変換回路７はアナログ差電圧ΔＶ１を０．０３９Ｗ相当の電圧毎にデジタル値に変換することができ、デジタル差電圧ΔＶ２にデジタル基準電圧Ｖｂ２を加算して得られるデジタル検出電圧Ｖｄ２を、フィードバック制御に用いることでランプ電力を０．０３９Ｗ刻みで調節することができ、従来の照明制御回路よりフィードバック制御の精度が向上する。
【００７５】
したがって、上記のように簡易で安価な構成で、Ａ／Ｄ変換回路７を用いたランプ電力Ｗｌａの検出精度を向上させることができ、検出精度が高いデジタル検出電圧Ｖｄ２を用いてフィードバック制御することで、ランプ電力Ｗｌａを細かく調節することができるので、デジタル目標電圧Ｖｔとデジタル検出電圧Ｖｄ２とが一致し、調光信号Ｄｓに応じたランプ電力Ｗｌａを出力することができる。
【００７６】
また、差動増幅回路６の後段にあるＡ／Ｄ変換回路７にはビット数の少ないＩＣを使用しても１ビットあたりの検出分解能を維持することができる。また、演算回路８内のＡ／Ｄ変換部にはビット数の多いＩＣを使用することによって、ビット数の多いデジタル検出電圧Ｖｄ２を出力することができる。したがって、Ａ／Ｄ変換回路７にはビット数の少ない低価格なＩＣを使用することで、コストを下げることができる。
【００７７】
また、調光比に対するランプ電力Ｗｌａが、定格点灯Ｄｍａｘ付近での変化量が大きく、調光下限Ｄｍｉｎ付近での変化量が小さくなる、いわゆる２次曲線で変動する場合、このときの理想的なランプ電力Ｗｌａに略比例したアナログ検出電圧Ｖｄ１の特性を図３のＹ４に示す。そして、Ｙ４と同じ傾きで変動し、Ｙ４よりＶｘ／２小さいアナログ基準電圧Ｖｂ１を出力するように基準電圧出力部９を設定する。このときのアナログ基準電圧Ｖｂ１の特性をＹ５に示す。
【００７８】
上記のように基準電圧出力部９を設定することによって、アナログ検出電圧Ｖｄ１とアナログ基準電圧Ｖｂ１は、同じ傾きの２次曲線で変動することになるので、アナログ差電圧ΔＶ１は０〜Ｖｘの範囲で変動することになり、Ａ／Ｄ変換回路７の入力範囲を０〜Ｖｘに設定することで、上記の説明と同様にＡ／Ｄ変換回路７の１ビットあたりの検出分解能を向上させることができる。
【００７９】
（実施形態２）
本発明の第２の実施形態として図４に構成を示す。本実施形態は、ランプ１と、ランプ１にランプ電力Ｗｌａを供給するインバータ１０と、ランプ電力Ｗｌａを検出する照明制御回路３と、照明制御回路３に調光信号Ｄｓを出力する調光器４とで構成されている。
【００８０】
インバータ１０は、所定の直流電圧を出力する直流電源ＶＤＣを備えており、スイッチング素子Ｑ１、Ｑ２と検出抵抗Ｒｄの直列回路が直流電源ＶＤＣと並列に接続され、スイッチング素子Ｑ１、Ｑ２のゲートには駆動回路１１が接続されている。そして、スイッチング素子Ｑ２と検出抵抗Ｒｄの直列回路の両端に、インダクタＬ１とコンデンサＣ２との直列回路が接続され、コンデンサＣ２の両端にコンデンサＣ３とランプ１の直列回路が接続されている。
【００８１】
上記の構成で、駆動回路１１がスイッチング素子Ｑ１、Ｑ２を交互にスイッチング動作させることで、直流電源ＶＤＣから出力される直流電圧を高周波電圧に変換して、ランプ１にランプ電力Ｗｌａを出力してランプ１を点灯させている。
【００８２】
照明制御回路３は実施形態１と同様の構成であり、検出回路５と、差動増幅回路６と、Ａ／Ｄ変換回路７と、演算回路８とで構成されている。また、直流電源ＶＤＣが出力する直流電圧は一定なので、検出回路５がインバータ１０の検出抵抗Ｒｄの両端電圧を測定することによって、ランプ電力Ｗｌａに略比例したアナログ検出電圧Ｖｄ１が得られる。そして、検出回路５はアナログ検出電圧Ｖｄ１を差動増幅回路６のオペアンプＯＰ１の反転入力端子に出力する。
【００８３】
また、本実施形態の調光器４は、照明制御回路３の基準電圧出力部９と演算回路８に調光信号Ｄｓを出力し、基準電圧出力部９は調光信号Ｄｓに示される調光度に比例して変動するアナログ基準電圧Ｖｂ１をオペアンプＯＰ１の非反転入力端子に出力する。
【００８４】
そして、差動増幅回路６はアナログ検出電圧Ｖｄ１とアナログ基準電圧Ｖｂ１の差分であるアナログ差電圧ΔＶ１をＡ／Ｄ変換回路７に出力し、Ａ／Ｄ変換回路７でアナログ差電圧ΔＶ１をデジタル差電圧ΔＶ２に変換して、演算回路８に出力する。なお、本実施形態においても実施形態１と同様に、アナログ差電圧ΔＶ１は０〜Ｖｘの範囲で変動し、０〜ＶｘがＡ／Ｄ変換回路７の入力範囲となるので、１ビットあたりの検出分解能が向上する。
【００８５】
次に演算回路８には、Ａ／Ｄ変換回路７から出力されるデジタル差電圧ΔＶ２と、調光器４から出力される調光信号Ｄｓが入力される。そして、演算回路８内に設けられたＡ／Ｄ変換部で、調光信号Ｄｓに示される調光度に比例したデジタル基準電圧Ｖｂ２とデジタル目標電圧Ｖｔが生成される。
【００８６】
演算回路８は、デジタル差電圧ΔＶ２にデジタル基準電圧Ｖｂ２を加算することによって算出されたデジタル検出電圧Ｖｄ２と、デジタル目標電圧Ｖｔとを用いてフィードバック制御を行う。両者を比較して差がある場合は、デジタル目標電圧Ｖｔにデジタル電出電圧Ｖｄ２を一致させるように、演算回路８はインバータ１０の駆動回路１１に調光補正信号Ｄｓ２を出力する。その調光補正信号Ｄｓ２に応じてスイッチング素子Ｑ１、Ｑ２を制御することによって、ランプ電力Ｗｌａを変動させて、デジタル目標電圧Ｖｔにデジタル検出電圧Ｖｄ２を一致させる。
【００８７】
したがって、実施形態１と同様に簡易で安価な構成で、Ａ／Ｄ変換回路７を用いたランプ電力Ｗｌａの検出精度を向上させることができ、検出精度が高いデジタル検出電圧Ｖｄ２を用いてフィードバック制御することで、ランプ電力Ｗｌａを細かく調節することができるので、デジタル目標電圧Ｖｔとデジタル検出電圧Ｖｄ２とが一致し、調光信号Ｄｓに応じたランプ電力Ｗｌａを出力することができる。
【００８８】
（実施形態３）
本発明の第３の実施形態として図５に構成を示す。本実施形態は、ランプ１と、ランプ１にランプ電力Ｗｌａを供給するインバータ１０と、ランプ電力Ｗｌａを検出する照明制御回路３と、照明制御回路３とインバータ１０の動作を監視制御するコントローラ１２とで構成されている。
【００８９】
インバータ１０は、商用電源ＡＣと接続して交流電圧が入力されており、インバータ１０の入力段にローパスフィルタＬＰＦを備え、ローパスフィルタＬＰＦの後段にダイオードブリッジＤＢを備えている。そして、ダイオードブリッジＤＢの出力端にインダクタＬ２とスイッチング素子Ｑ３の直列回路が接続され、ダイオードＤｉと電解コンデンサＣ０の直列回路がスイッチング素子Ｑ３と並列に接続されている。スイッチング素子Ｑ３のゲートには駆動回路１１が接続され、いわゆるＰＦＣ回路を構成している。
【００９０】
さらに、スイッチング素子Ｑ１、Ｑ２と検出抵抗Ｒｄの直列回路が、電解コンデンサＣ０と並列に接続され、スイッチング素子Ｑ１、Ｑ２のゲートには駆動回路１１が接続されている。そして、スイッチング素子Ｑ２と検出抵抗Ｒｄの直列回路の両端に、インダクタＬ１とコンデンサＣ２との直列回路が接続され、コンデンサＣ２の両端にコンデンサＣ３とランプ１の直列回路が接続されている。
【００９１】
また、コントローラ１２は、通信線Ｌで信号入力部１３と接続しており、コントローラ１２からデジタル信号で構成された調光信号Ｄｓ３（デジタル調光信号Ｄｓ３）が通信線Ｌを介して信号入力部１３に出力される。また、信号入力部１３は、デジタル信号に対応した通信プロトコルのインターフェースを備えており、デジタル調光信号Ｄｓ３をインバータ１０の駆動回路１１と、照明制御回路３に出力する。
【００９２】
上記の構成で、駆動回路１１はデジタル調光信号Ｄｓ３に示される調光度の大きさに応じて、スイッチング素子Ｑ３をスイッチング動作させて、電解コンデンサＣ０の両端に直流電圧を発生させると共に、スイッチング素子Ｑ１、Ｑ２を交互にスイッチング動作させることで、電解コンデンサＣ０の両端に発生した直流電圧を高周波電圧に変換して、ランプ１にランプ電力Ｗｌａを出力してランプ１を点灯させている。
【００９３】
照明制御回路３は実施形態１と同様の回路構成であり、検出回路５と、差動増幅回路６と、Ａ／Ｄ変換回路７と、演算回路８とで構成されている。そして、実施形態２の検出回路５と同様に、インバータ１０の検出抵抗Ｒｄの両端電圧を測定することによって、ランプ電力Ｗｌａに略比例したアナログ検出電圧Ｖｄ１が得られる。そして、検出回路５はアナログ検出電圧Ｖｄ１を差動増幅回路６のオペアンプＯＰ１の反転入力端子に出力する。
【００９４】
また、基準電圧出力部９は、コントローラ１２から信号入力部１３を介して出力されるデジタル調光信号Ｄｓ３に示される調光度の大きさに比例したアナログ基準電圧Ｖｂ１を、差動増幅回路６のオペアンプＯＰ１の非反転入力端子に出力する。
【００９５】
差動増幅回路６は、検出回路５から出力されるアナログ検出電圧Ｖｄ１と、基準電圧出力部９から出力されるアナログ基準電圧Ｖｂ１との差分であるアナログ差電圧ΔＶ１をＡ／Ｄ変換回路７に出力する。
【００９６】
Ａ／Ｄ変換回路７は、アナログ差電圧ΔＶ１をデジタル差電圧ΔＶ２に変換して演算回路８に出力する。なお、本実施形態においても実施形態１，２と同様に、アナログ差電圧ΔＶ１は０〜Ｖｘの範囲で変動し、０〜ＶｘがＡ／Ｄ変換回路７の入力範囲となるので、１ビットあたりの検出分解能が向上する。
【００９７】
演算回路８は、Ａ／Ｄ変換回路７から出力されるデジタル差電圧ΔＶ２と、コントローラ１２から信号入力部１３を介して出力されるデジタル調光信号Ｄｓ３が入力される。そして、デジタル調光信号Ｄｓ３に示される調光度の大きさに比例したデジタル基準電圧Ｖｂ２が得られて、デジタル差電圧ΔＶ２にデジタル基準電圧Ｖｂ２を加算することによって、デジタル検出電圧Ｖｂ２が算出される。そして、演算回路８はデジタル検出電圧Ｖｄ２を、通信線Ｌを介してコントローラ１２に伝達する。
【００９８】
コントローラ１２は、ランプ電力Ｗｌａに略比例したデジタル検出電圧Ｖｄ２を伝達されることによって、ランプ電力Ｗｌａを監視することができる。また、インバータ１０が複数台ある場合でも、コントローラ１２が通信線Ｌを介して各々のランプ電力Ｗｌａを監視することができる。また、通信線Ｌで伝達されるデジタル検出電圧Ｖｄ２はデジタル信号で構成されているので、伝達効率が良く、通信線Ｌが長い場合でもノイズの影響が少ない。そのため、照明制御回路３で検出した検出精度の高い検出結果を、より正確にコントローラ１２に伝達することができる。さらに、コントローラ１２から信号入力部１３を介してインバータ１０と照明制御回路３にデジタル調光信号Ｄｓ３を伝達することによって、ランプ電力Ｗｌａを遠隔制御することができる。
【００９９】
また、演算回路８とコントローラ１２と信号入力部１３には、ＤＡＬＩなどのデジタル通信に対応した通信プロトコルのインターフェースを備えており、通信線Ｌで各々を接続してデジタル通信を行うことで、容易に信号を伝達することが可能となる。
【０１００】
また、本実施形態の照明制御回路３は、ランプ電力Ｗｌａを検出して、検出結果をコントローラ１２に伝達しているが、インバータ１０の入力電流や入力電力を検出してもよい。照明制御回路３を用いて入力電流や入力電力を検出することによって、より正確な入力電流や入力電力を検出することができる。
【０１０１】
（実施形態４）
本発明の第４の実施形態として図５に構成を示す。本実施形態は、ランプ１と、ランプ１にランプ電力Ｗｌａを供給するインバータ１０と、ランプ電力Ｗｌａを検出する照明制御回路３と、照明制御回路３とインバータ１０の動作を監視制御するコントローラ１２とで構成されている。
【０１０２】
本実施形態の構成は、実施形態３と同様の回路構成であるが、本実施形態の照明制御回路３はインバータ１０を構成している基板上に設けられている。さらに、インバータ１０の動作を制御している駆動回路１１は、高耐圧の集積回路１４で構成されており、差動増幅回路６のオペアンプＯＰ１は、集積回路１４内に設けられていることが特徴である。
【０１０３】
本実施形態の構成を以下に示す。
【０１０４】
インバータ１０は、実施形態３と同様に、駆動回路１１がデジタル調光信号Ｄｓ３に応じて、スイッチング素子Ｑ３をスイッチング動作させて、電解コンデンサＣ０の両端に直流電圧を発生させると共に、スイッチング素子Ｑ１、Ｑ２を交互にスイッチング動作させることで、電解コンデンサＣ０の両端に発生した直流電圧を高周波電圧に変換して、ランプ１にランプ電力Ｗｌａを出力してランプ１を点灯させている。
【０１０５】
照明制御回路３は、インバータ１０を構成している基板上に設けられている。そして、検出回路５が検出抵抗Ｒｄの両端電圧を測定し、ランプ電力Ｗｌａに略比例したアナログ検出電圧Ｖｄ１を、抵抗Ｒ１を介して、駆動回路１１を構成している高耐圧の集積回路１４内に設けられているオペアンプＯＰ１の非反転入力端子に出力する。また、基準電圧出力部９は、コントローラ１２から信号入力部１３を介して出力されるデジタル調光信号Ｄｓ３に示される調光度の大きさに比例し、アナログ検出電圧Ｖｄ１よりＶｘ／２小さいアナログ基準電圧Ｖｂ１を、オペアンプＯＰ１の反転入力端子に出力する。また、オペアンプＯＰ１の出力端子と反転入力端子との間にコンデンサＣ１が接続されている。
【０１０６】
オペアンプＯＰ１の出力端子から、アナログ検出電圧Ｖｄ１とアナログ基準電圧Ｖｂ１との差分であるアナログ差電圧ΔＶ１をＡ／Ｄ変換回路７に出力する。なお、本実施形態の差動増幅回路６において、オペアンプＯＰ１の非反転入力端子にアナログ検出電圧Ｖｄ１が入力され、反転入力端子にアナログ基準電圧Ｖｂ１が入力されるので、オペアンプＯＰ１から出力されるアナログ差電圧ΔＶ１は正極性となる。したがって、Ａ／Ｄ変換回路７は、実施形態１のようにアナログ差電圧ΔＶ１の絶対値をＡ／Ｄ変換する必要がなく、計算が容易となる。
【０１０７】
Ａ／Ｄ変換回路７は、アナログ差電圧ΔＶ１をデジタル差電圧ΔＶ２に変換して演算回路８に出力する。なお、本実施形態においても実施形態１〜３と同様に、アナログ差電圧ΔＶ１は０〜Ｖｘの範囲で変動し、０〜ＶｘがＡ／Ｄ変換回路７の入力範囲となるので、１ビットあたりの検出分解能が向上する。
【０１０８】
演算回路８は、実施形態３と同様に、デジタル調光信号Ｄｓ３に示される調光度に応じたデジタル基準電圧Ｖｂ２に、デジタル差電圧ΔＶ２を加算することによって、デジタル検出電圧Ｖｂ２を算出し、通信線Ｌを介してコントローラ１２に伝達する。
【０１０９】
コントローラ１２は、デジタル検出電圧Ｖｄ２を伝達されることによって、ランプ電力Ｗｌａを監視し、デジタル調光信号Ｄｓ３を出力することによって、照明制御回路３とインバータ１０の動作を遠隔制御することができる。
【０１１０】
上記の構成によって、照明制御回路３がインバータ１０を構成している基板上に設けられるため、照明制御回路３とインバータ１０との間の配線が短くなり、ノイズの影響を受けにくくなるので、検出回路５はランプ電力Ｗｌａに略比例したアナログ検出電圧Ｖｄ１を、より正確に出力することができる。
【０１１１】
また、照明制御回路３とインバータ１０を同一基板に構成し、さらに差動増幅回路６のオペアンプＯＰ１を、駆動回路１１を構成している高耐圧の集積回路１４内に配置することによって、部品数を減らすことができるので、コストを下げることができる。
【０１１２】
（実施形態５）
本発明の第５の実施形態として図７に構成を示す。本実施形態は、照度を測定する照度センサ１５と、照度センサ１５の出力を検出する照明制御回路３と、照度センサ１５の出力を監視するコントローラ１２とで構成されている。
【０１１３】
本実施形態は、照明制御回路３がランプ電力Ｗｌａではなく、照度センサ１５の照度測定値ｌｘを検出することが特徴である。
【０１１４】
本実施形態の構成を以下に示す。
【０１１５】
照度センサ１５は、ランプ（図示なし）による周囲の照度を測定し、測定した照度測定値ｌｘを照明制御回路３の検出回路５に出力する。
【０１１６】
照明制御回路３は、検出回路５と差動増幅回路６とＡ／Ｄ変換回路７と演算回路８とで構成されている。検出回路５は、照度センサ１５の照度測定値ｌｘに略比例したアナログ検出電圧Ｖｄ１を差動増幅回路６のオペアンプＯＰ１の反転入力端子に出力する。
【０１１７】
また、基準電圧出力部９が出力するアナログ基準電圧Ｖｂ１は、コントローラ１２から信号入力部１３を介して出力されるデジタル調光信号Ｄｓ３に示される調光度の大きさに比例し、調光信号に対して理想的な照度測定値ｌｘに略比例したアナログ検出電圧Ｖｄ１よりＶｘ／２小さい値を、全ての調光比のレベルで出力するように基準電圧出力部９を設定する。そして、基準電圧出力部９は、アナログ基準電圧Ｖｂ１をオペアンプＯＰ１の非反転入力端子に出力する。
【０１１８】
そして、オペアンプＯＰ１の出力端子から、アナログ検出電圧Ｖｄ１とアナログ基準電圧Ｖｂ１との差分であるアナログ差電圧ΔＶ１をＡ／Ｄ変換回路７に出力する。
【０１１９】
Ａ／Ｄ変換回路７は、アナログ差電圧ΔＶ１をデジタル差電圧ΔＶ２に変換して演算回路８に出力する。なお、本実施形態においても実施形態１〜４と同様に、アナログ差電圧ΔＶ１は０〜Ｖｘの範囲で変動し、０〜ＶｘがＡ／Ｄ変換回路７の入力範囲となるので、１ビットあたりの検出分解能が向上する。
【０１２０】
演算回路８は、実施形態３と同様に、デジタル調光信号Ｄｓ３に示される調光度に応じたデジタル基準電圧Ｖｂ２に、デジタル差電圧ΔＶ２を加算することによって、デジタル検出電圧Ｖｂ２を算出し、通信線Ｌを介してコントローラ１２に伝達する。
【０１２１】
コントローラ１２は、デジタル検出電圧Ｖｄ２を伝達されることによって、照度センサ１５の照度測定値ｌｘを監視することができる。
【０１２２】
上記の構成によって、照度センサ１５の照度測定値ｌｘを、照明制御回路３を用いて検出することによって、より正確に検出することができる。
【０１２３】
また、デジタル検出電圧ｄ２を、ランプ（図示なし）にランプ電力Ｗｌａを供給しているインバータ（図示なし）に出力して、目標の照度となるようにフィードバック制御を行ってもよい。
【０１２４】
（実施形態６）
本発明の第６の実施形態として図８に構成を示す。図８は、実施形態１〜５のいずれかの照明制御回路３および照明点灯装置２を備えた照明器具１６の外観を示す分解斜視図である。
【０１２５】
本実施形態の照明器具１６は、実施形態１〜５のいずれかの照明制御回路３および照明点灯装置２を備えた照明点灯ユニット１７と、照明点灯ユニット１７が収納される照明器具本体１８と、直管型のランプ１と、ランプ１を保持し、ランプ１を照明点灯ユニット１７に接続するためのソケット１９とで構成されている。
【０１２６】
また、ランプ１は低圧放電灯や高圧放電灯、ＬＥＤやＯＬＥＤなどを用いてもよい。その場合は、必要に応じて照明点灯装置２を、ランプ１に対応した電圧を出力する照明点灯装置２に変更する。
【符号の説明】
【０１２７】
１  ランプ
２  照明点灯装置
３  照明制御回路
４  調光器
５  検出回路
６  差動増幅回路
７  Ａ／Ｄ変換回路
８  演算回路
９  基準電圧出力部
【図１】
2010277730.tif 000003
【図２】
2010277730.tif 000004
【図３】
2010277730.tif 000005
【図４】
2010277730.tif 000006
【図５】
2010277730.tif 000007
【図６】
2010277730.tif 000008
【図７】
2010277730.tif 000009
【図８】
2010277730.tif 000010
【図９】
2010277730.tif 000011
【図１０】
2010277730.tif 000012
【図１１】
2010277730.tif 000013